(57)【要約】【課題】少ないハードウェア追加で、チャンネル切り換え時間を短くする。【解決手段】システムコントローラ１０によって、第１のフロントエンド部４の受信チャンネルである番組受信チャンネルの切り換えがされないときに、切り換えスイッチ１６を制御するとともに第２のフロントエンド部５の受信チャンネルを切り換えて受信可能な全てのチャンネルについてＴＳデータに多重された放送番組を受信するために必要な付加情報を第２のＴＳ−ＤＥＭＵＸ１８で分離解析して蓄積部１９に保存させ、上記番組受信チャンネルを第１のチャンネルから第２のチャンネルに切り換えるときに、蓄積部１９に保存してある上記第２のチャンネルの付加情報を上記第１のＴＳ−ＤＥＭＵＸ７に設定することにより、ＴＳデータＴＳ０から直ぐに映像データ、音声データを分離できるようにする。【選択図】図１    
2005260401.tif 000002
【特許請求の範囲】
【請求項１】
デジタル放送を受信して放送番組をデコードするデジタル放送受信装置において、
アンテナの受信信号を選局および復調復号して第１のトランスポート・ストリーム・データを出力する第１のフロントエンド部と、
上記受信信号を選局および復調復号して第２のトランスポート・ストリーム・データを出力する第２のフロントエンド部と、
上記第１または第２のトランスポート・ストリーム・データのいずれかを選択して出力する切り換え手段と、
上記第１のトランスポート・ストリーム・データに多重された放送番組を受信するために必要な付加情報に従って上記第１のトランスポート・ストリーム・データから放送番組の映像データを分離する第１のデマルチプレクサと、
上記切り換え手段によって選択されたトランスポート・ストリーム・データから上記付加情報を分離する第２のデマルチプレクサと、
上記第１のデマルチプレクサによって分離解析された映像データを映像信号にデコードして出力するデコーダと、
上記第２のデマルチプレクサによって分離解析された付加情報を蓄積する蓄積部と、
上記第１のフロントエンド部の受信チャンネルである番組受信チャンネルの切り換えがされないときに、上記切り換え手段を制御するとともに上記第２のフロントエンド部の受信チャンネルを切り換えて上記受信可能な全てのチャンネルについて上記付加情報を上記蓄積部に保存させ、上記番組受信チャンネルを第１のチャンネルから第２のチャンネルに切り換えるときに、上記蓄積部に保存してある上記第２のチャンネルの付加情報を上記第１のデマルチプレクサに設定するシステムコントローラと
を備えた
ことを特徴とするデジタル放送受信装置。
【請求項２】
受信チャンネルと関連付けられた固有画像データを保存する画像データ蓄積部と、
上記映像信号または上記固有画像データのいずれかを選択して出力する出力切り換えスイッチと
をさらに備え、
上記システムコントローラは、上記番組受信チャンネルを第１のチャンネルから第２のチャンネルに切り換えるときに、上記出力切り換えスイッチを制御して、上記映像信号に代えて上記第２のチャンネルの上記固有映像データを所定の時間出力させる
ことを特徴とする請求項１記載のデジタル放送受信装置。
【請求項３】
デジタル放送を受信して放送番組をデコードするデジタル放送受信装置において、
アンテナの受信信号を選局および復調復号して第１のトランスポート・ストリーム・データを出力する第１のフロントエンド部と、
上記受信信号を選局および復調復号して第２のトランスポート・ストリーム・データを出力する第２のフロントエンド部と、
上記第１のトランスポート・ストリーム・データまたは上記第２のトランスポート・ストリーム・データのいずれかを選択して第１の選択トランスポート・ストリーム・データとして出力する第１の切り換え手段と、
上記第１のトランスポート・ストリーム・データまたは上記第２のトランスポート・ストリーム・データのいずれかを選択して第２の選択トランスポート・ストリーム・データとして出力する第２の切り換え手段と、
上記第１の選択トランスポート・ストリーム・データに多重された放送番組を受信するために必要な付加情報に従って上記第１の選択トランスポート・ストリーム・データから放送番組の映像データを分離する第１のデマルチプレクサと、
上記第２の選択トランスポート・ストリーム・データから上記付加情報を分離解析する第２のデマルチプレクサと、
上記第１のデマルチプレクサによって分離解析された映像データを映像信号にデコードして出力するデコーダと、
上記第２のデマルチプレクサによって分離された付加情報を蓄積する蓄積部と、
上記第１のトランスポート・ストリーム・データが上記第１の選択トランスポート・ストリーム・データであって上記第１のフロントエンドの受信チャンネルが番組受信チャンネルであり、番組受信チャンネルの切り換えがされないときに、上記第２の切り換えスイッチを制御するとともに上記第２のフロントエンド部の受信チャンネルを切り換えて上記受信可能な全てのチャンネルについて上記付加情報を上記蓄積部に保存させ、
昇順または降順のチャンネル切り換えによって第１のチャンネル，第２のチャンネル，第３のチャンネル，第４のチャンネルの順に切り換えられる上記第１から第４までの第４つのチャンネルについて、上記番組受信チャンネルを第１のチャンネルから第２のチャンネルに切り換えるときまでに、上記第２のフロントエンドの受信チャンネルを上記第２のチャンネルに設定しておき、
上記番組受信チャンネルを第１のチャンネルから第２のチャンネルに切り換えるときに、上記第１の選択トランスポート・ストリーム・データを上記第２のトランスポート・ストリーム・データに切り換え、上記蓄積部に保存してある上記第２のチャンネルの付加情報を上記第１のデマルチプレクサに設定し、上記第１のフロントエンド部の受信チャンネルを第３のチャンネルに切り換え、
さらに上記番組受信チャンネルを第２のチャンネルから第３のチャンネルに切り換えるときに、上記第１の選択トランスポート・ストリーム・データを上記第１のトランスポート・ストリーム・データに切り換え、上記蓄積部に保存してある上記第３のチャンネルの付加情報を上記第１のデマルチプレクサに設定し、上記第２のフロントエンド部の受信チャンネルを第４のチャンネルに切り換えるシステムコントローラと
を備えた
ことを特徴とするデジタル放送受信装置。
【請求項４】
デジタル放送を受信して放送番組をデコードするデジタル放送受信装置において、
アンテナの受信信号を選局および復調復号して第１のトランスポート・ストリーム・データを出力する第１のフロントエンド部と、
上記受信信号を選局および復調復号して第２のトランスポート・ストリーム・データを出力する第２のフロントエンド部と、
２倍に時間圧縮した上記第１のトランスポート・ストリーム・データまたは上記第２のトランスポート・ストリーム・データのいずれかを選択して第１の選択トランスポート・ストリーム・データするとともに、上記２倍に時間圧縮した第１のトランスポート・ストリーム・データまたは第２のトランスポート・ストリーム・データのいずれかを選択して第２の選択トランスポート・ストリーム・データとし、これら第１および第２の選択トランスポート・ストリーム・データを時分割に出力する切り換え手段と、
上記第１のトランスポート・ストリーム・データが上記第１の選択トランスポート・ストリーム・データであって上記第１のフロントエンドの受信チャンネルが番組受信チャンネルであり、番組受信チャンネルの切り換えがされないときに、上記切り換えスイッチを制御するとともに上記第２のフロントエンド部の受信チャンネルを切り換えて上記受信可能な全てのチャンネルについて上記付加情報を上記蓄積部に保存させ、上記番組受信チャンネルを第１のチャンネルから第２のチャンネルに切り換えるときに、上記蓄積部に保存してある上記第２のチャンネルの付加情報を上記第１のデマルチプレクサに設定するシステムコントローラと、
上記第１および第２のフロントエンド部と上記切り換え手段と上記システムコントローラとを汎用システムバスによって接続するバスシステムと
を備えた
ことを特徴とするデジタル放送受信装置。
【請求項５】
上記第１のフロントエンド部は、２チャンネル以上の広帯域の受信が可能なチューナーを備えていることを特徴とする請求項４記載のデジタル放送受信装置。
【請求項６】
上記第１のマルチプレクサは、トランスポート・ストリーム・データから上記デコーダでのデコードに必要なクロックを再生するクロックリカバリ機能および上記付加情報に従ってトランスポート・ストリーム・データから映像データを分離するフィルタリング機能を備えているがトランスポート・ストリーム・データから上記付加情報を分離解析する付加情報解析機能を備えない簡易マルチプレクサであり、
上記第２のマルチプレクサは、上記付加情報分離機能は備えているが、上記クロックリカバリ機能および上記フィルタリング機能を備えない簡易マルチプレクサである
ことを特徴とする請求項１，３，４のいずれかに記載のデジタル放送受信装置。
【発明の詳細な説明】
【技術分野】
【０００１】
本発明は、デジタル放送受信装置に関し、特に地上波デジタル放送を受信してデコードする地上波デジタル放送受信装置に関する。
【背景技術】
【０００２】
従来の地上波デジタル放送受信装置には、チューナーおよび復調復号部からなるフロントエンド部から出力されるトランスポート・ストリーム・データ（以下、ＴＳデータとする）を、コンディショナル・アクセス・デスクランブル（以下、ＣＡデスクランブルとする）し、さらにデマルチプレクッス（以下、ＴＳデータのデマルチプレックス処理をＴＳデマルチプレックスとする）して映像・音声データを分離した後、ＭＰＥＧデコーダによって映像復号、音声復号して出力するシステムを基本構成とするものがある（例えば、非特許文献１参照）。
【０００３】
また、上記基本構成においては、受信チャンネル切り換え時の切り換え時間が長くなってしまうので、複数（３個以上）の符号化入力手段と符号化選択手段と複数（３個以上）の符号化データデコード手段を設けて、受信チャンネル切り換え時に発生する、チャンネル切り換え要求から所定画像表示されるまでのチャンネル切り換え時間を、できるだけ少なくしたものがある（例えば、特許文献１参照）。
【０００４】
【特許文献１】特開２００３―２７４３０４号公報（４−７ページ，図２）
【非特許文献１】デジタル放送用受信装置標準規格ＡＲＩＢ  ＳＴＤ−Ｂ２１（４ページ，第２−２図）
【発明の開示】
【発明が解決しようとする課題】
【０００５】
しかしながら、上記のような従来の地上波デジタル放送受信装置は、受信チャンネル切り換え時の画像（音声含む）表示を早くするために、複数（３個以上）の符号化入力手段と符号化データデコード手段を設けて、並行処理後の画像データをスイッチにより選択しているため、チャンネル切り換え時間改善のためだけにハードウェア規模がかなり大きくなってしまっているという問題点があった。
【０００６】
本発明は、上記の問題点を解決するためになされたものであり、ハードウェア規模増大の主原因の符号化データデコーダに対して、少ないハードウェア追加で、チャンネル切り換え時間を短くできるデジタル放送受信装置を提供することを目的とする。
【課題を解決するための手段】
【０００７】
本発明のデジタル放送受信装置は、
デジタル放送を受信して放送番組をデコードするデジタル放送受信装置において、
アンテナの受信信号を選局および復調復号して第１のトランスポート・ストリーム・データを出力する第１のフロントエンド部と、
上記受信信号を選局および復調復号して第２のトランスポート・ストリーム・データを出力する第２のフロントエンド部と、
上記第１または第２のトランスポート・ストリーム・データのいずれかを選択して出力する切り換え手段と、
上記第１のトランスポート・ストリーム・データに多重された放送番組を受信するために必要な付加情報に従って上記第１のトランスポート・ストリーム・データから放送番組の映像データを分離する第１のデマルチプレクサと、
上記切り換え手段によって選択されたトランスポート・ストリーム・データから上記付加情報を分離する第２のデマルチプレクサと、
上記第１のデマルチプレクサによって分離解析された映像データを映像信号にデコードして出力するデコーダと、
上記第２のデマルチプレクサによって分離解析された付加情報を蓄積する蓄積部と、
上記第１のフロントエンド部の受信チャンネルである番組受信チャンネルの切り換えがされないときに、上記切り換え手段を制御するとともに上記第２のフロントエンド部の受信チャンネルを切り換えて上記受信可能な全てのチャンネルについて上記付加情報を上記蓄積部に保存させ、上記番組受信チャンネルを第１のチャンネルから第２のチャンネルに切り換えるときに、上記蓄積部に保存してある上記第２のチャンネルの付加情報を上記第１のデマルチプレクサに設定するシステムコントローラと
を備えた
ことを特徴とする。
【発明の効果】
【０００８】
本発明によれば、受信可能な全てのチャンネルについて第２のＴＳデマルチプレクサによって付加情報を取得して蓄積部に保存しておき、番組受信チャンネルを第１のチャンネルから第２のチャンネルに切り換えるときに、上記第２のチャンネルの付加情報を第１のデマルチプレクサに設定することにより、少ないハードウェアの追加で、チャンネル切り換え要求から所定画像表示されるまでのチャンネル切り換え時間を短くすることができるという効果がある。
【発明を実施するための最良の形態】
【０００９】
実施の形態１．
図１は本発明の実施の形態１の地上波デジタル放送受信装置の構成図である。この実施の形態１の地上波デジタル放送受信装置は、放送波を受信するアンテナ１と、チューナー２およびこのチューナー２から出力されるベースバンド信号を復調・復号してＴＳデータを出力する復調復号部３から構成される第１のフロントエンド部４と、この第１のフロントエンド部４と同様の構成の第２のフロントエンド部５と、暗号を解く第１のコンディショナル・アクセス・デスクランブラ（以下、第１のＣＡデスクランブラ）６と、ＴＳデータを分離する第１のトランスポート・ストリーム・データ・マルチプレクサ（以下、第１のＴＳ−ＤＥＭＵＸ）７と、電子番組ガイド（以下、ＥＰＧとする）等の基本データをデコードするＥＰＧ等基本データデコーダ８と、ＭＰＥＧデコーダ９と、システムコントローラ１０と、加算部１１と、ローカルバス１２と、ＴＳデータを選択する切り換えスイッチ１６と、上記第１のＣＡデスクランブラ６と同様の構成の第２のコンディショナル・アクセス・デスクランブラ（以下、第２のＣＡデスクランブラ）１７と、上記第１のＴＳ−ＤＥＭＵＸ７と同様の構成の第２のトランスポート・ストリーム・データ・マルチプレクサ（以下、第２のＴＳ−ＤＥＭＵＸ）１８と、蓄積部１９とを備えている。
【００１０】
次に動作について説明する。アンテナ１からの受信データは、第１のフロントエンド部４および第２のフロントエンド部５に入力され、選局および復調復号後、第１のフロントエンド部４からは暗号化されたＴＳデータＴＳ０として、第２のフロントエンド部５からは暗号化されたＴＳデータＴＳ１として、それぞれ後段に出力される。ここで、第１のフロントエンド部４のＴＳデータＴＳ０と第２のフロントエンド部５のＴＳデータＴＳ１は、両フロントエンド部の受信チャンネル設定が異なれば、異なるデータとなる。
【００１１】
電源投入直後の通常の信号再生動作については、第１のＣＡデスクランブラ６は、暗号化されたＴＳデータＴＳ０の暗号を解除して第１のＴＳ−ＤＥＭＵＸ７に出力する。第１のＴＳ−ＤＥＭＵＸ７は、多重化されたＴＳデータＴＳ０から、プログラム・アソシエーション・テーブル（以下、ＰＡＴとする）やプログラム・マップ・テーブル（以下、ＰＭＴとする）を格納する番組特定情報（以下、ＰＳＩとする）や番組配列情報（以下、ＳＩとする）等のＴＳデータに多重された放送番組を受信するために必要な付加情報を分離取得して解析し、その付加情報によってＴＳデータＴＳ０から映像データや音声データを分離し、それらの映像データ、音声データをＭＰＥＧデコーダ９に出力する。ＭＰＥＧデコーダ９は、圧縮された映像データ、音声データをデコードして、元の映像信号（主に動画）、音声信号を出力する。なお、上記映像信号（主に動画）は、ＥＰＧ等基本データデコーダ８によってデコードされたＥＰＧ等の静止画と、加算器１１において重畳され、映像出力として後段に出力される。第１のフロントエンド部４と第２のフロントエンド部５には異なる受信チャンネルを設定可能であるが、この実施の形態１では第１のフロントエンド４の受信チャンネルが、番組受信チャンネル（放送番組のＭＰＥＧデコードされた映像信号、音声信号が出力される受信チャンネル）である。
【００１２】
通常、受信チャンネル選択後、映像（音声含む）信号が出力されるまでにかかる時間（Ｔallとする）は、フロントエンド部で復調復号してＴＳデータが出力される時間と、映像（音声含む）を含んだ多重化されたＴＳデータを正確に分離し、デコードする時間の合算となっている。前者のフロントエンド部の処理時間（Ｔftとする）は、主に復号部の中の時間デインターリーブ処理（送信側にてインターリーブしたデータを、元の順番にデインターリーブする処理）で発生する。また、後者のデコードの時間は、多重されているＴＳデータの中から、該当する映像（音声含む）データを分離するためにＰＡＴやＰＭＴのテーブルを格納するＰＳＩやＳＩ等の付加情報を取得解析し、その付加情報によってＴＳデータを映像用、音声用等に分離するＴＳデマルチプレックス処理時間（Ｔdmとする）と、ＭＰＥＧデコーダにて圧縮された映像（音声含む）データを元のデータに伸長するためのデコード時間（Ｔdcとする）となる。この関係を算式で表現すると、
Ｔall＝Ｔft＋Ｔdm＋Ｔdc
となる。
【００１３】
地上波デジタル放送受信装置の電源投入直後の場合は、アンテナから入力したデータから、所定の時間Ｔft，Ｔdm，Ｔdcを使って、映像（音声）を出力することになる。次に、ユーザーが任意の放送チャンネルを見ようとして受信チャンネルを選択したとき、上記非特許文献１で示した地上波デジタル放送受信装置では、再び電源投入直後と同じ所定の時間Ｔft，Ｔdm，Ｔdcを使って、該当チャンネルの映像（音声）を出力することになる。
【００１４】
これに対し、実施の形態１の地上波デジタル放送受信装置では、電源投入直後の場合は、切り換えスイッチ１６は、システムコントローラ１０によって制御され、第１のフロントエンド４からのＴＳデータＴＳ０を選択しているので、第２のＣＡデスクランブラ１７は、入力されたＴＳデータＴＳ０の暗号を解除して第２のＴＳ−ＤＥＭＵＸ１８に出力する。第２のＴＳ−ＤＥＭＵＸ１８は、入力されたＴＳデータＴＳ０からＰＳＩやＳＩ等の付加情報を取得解析し、ＴＳデータパケットの種類を示す情報であるプログラムＩＤ（以下、ＰＩＤとする）等の該当の映像（音声含む）データを示す取得情報を確定し、これらの付加情報や取得情報をＥＰＧ等基本データデコーダ８に出力する。ＥＰＧ等基本データデコーダ８は、入力されたＰＳＩやＳＩの付加情報等から第１のフロントエンド４で受信しているチャンネルのＥＰＧ等の静止画等を基本データとしてデコードし、出力する。分離解析したＰＳＩやＳＩ等の付加情報、ＰＩＤ等の取得情報、およびデコードしたＥＰＧ等の基本データは、受信チャンネルと関連付けて、蓄積部１９に保存され、システムコントローラ１０によって常時出力できるようにしておく。
【００１５】
この一連の処理が終了すると、システムコントローラ１０は、第２のフロントエンド５を電源投入後最初に設定されていた受信チャンネル以外のチャンネルを受信するように設定する。例えば、受信できる全チャンネルがＡ，Ｂ，Ｃ，Ｄあり、電源投入後最初に設定されていた番組受信チャンネルがＢであった場合、それ以外のチャンネルなのでＡまたはＣまたはＤを設定する。
【００１６】
これによって、切り換えスイッチ１６は、システムコントローラ１０によって制御され、第２のフロントエンド５からのＴＳデータＴＳ１を選択するようになる。第２のＣＡデスクランブラ１７は、入力されたＴＳデータＴＳ１の暗号を解除して第２のＴＳ−ＤＥＭＵＸ１８に出力する。第２のＴＳ−ＤＥＭＵＸ１８は、入力されたＴＳデータＴＳ１からＰＳＩやＳＩ等の付加情報を取得解析し、ＰＩＤ等の取得情報を確定し、これらの付加情報や取得情報をＥＰＧ等基本データデコーダ８に出力する。ＥＰＧ等基本データデコーダ８は、入力されたＰＳＩやＳＩの付加情報等から第２のフロントエンド５の受信チャンネルのＥＰＧの静止画等の基本データをデコードして出力する。分離解析したＰＳＩやＳＩ等の付加情報、ＰＩＤ等の取得情報、およびデコードしたＥＰＧ等の基本データは、第２のフロントエンド５の受信チャンネル（例えばチャンネルＣ）と関連付けて、蓄積部１９に保存され、システムコントローラ１０によって常時出力できるようにしておく。
【００１７】
同様にして、システムコントローラ１０は、番組受信チャンネルが切り換えられないときに、第２のフロントエンド５の受信チャンネルを次々に変更し、受信チャンネルと取得解析した付加情報やＰＩＤ等の情報やＥＰＧ等の基本データを関連付けて蓄積部１９へ保存する動作を、受信できる全てのチャンネルについて実行する。
【００１８】
また、データ取得、保存の一連の動作は、システムコントローラ１０によって、任意の周期にて実行できるので、全てのデータを任意の周期にて更新することを可能にしておけば、放送局からの送信データの変更にもある一定間隔をもって対応可能となる。
【００１９】
今、ユーザーが、電源投入後に任意の番組受信チャンネルを選択したとき（例えばチャンネルＤ）、システムコントローラ１０は、該当受信チャンネルＤのＰＳＩやＳＩ等の付加情報やＰＩＤ等の取得情報やＥＰＧを蓄積部１９から直ぐに取得し、該当受信チャンネルＤの多重されたＴＳデータＴＳ０から映像（音声を含む）データを分離するための情報として第１のＴＳ−ＤＥＭＵＸ７に設定する。なお、電源投入直後においても、第１のＴＳ−ＤＥＭＵＸ７でＰＳＩやＳＩ等の付加情報の取得解析をせずに、第２のＴＳ−ＤＥＭＵＸ１８で取得解析した付加情報を第１のＴＳ−ＤＥＭＵＸ７に設定することが可能である。
【００２０】
これによって、第１のＴＳ−ＤＥＭＵＸ７においてのＴＳデマルチプレックス処理時間Ｔdmは、電源投入直後よりも非常に短い時間となるので、映像（音声含む）信号が出力されるまでにかかる時間（切り換え時間）Ｔallは、上記非特許文献１に示した地上波デジタル放送受信装置の切り換え時間Ｔallと比較して短い時間となり、短時間でチャンネル切り換えが実行できることになる。
【００２１】
以上のように実施の形態１によれば、第１のフロントエンド４からのＴＳデータＴＳ０または第２のフロントエンド５からのＴＳデータＴＳ１に切り換えられるスイッチ１６をシステムコントローラ１０によってコントロールし、受信できる全てのチャンネルのＴＳデータから第２のＴＳ−ＤＥＭＵＸ１８によってＰＳＩやＳＩ情報等の付加情報を取得解析し、またＥＰＧ等基本データデコーダ８によって全ての受信チャンネルのＥＰＧを作成し、蓄積部１９に保存するので、少ないハードウェアの追加で、番組受信チャンネルを切り換えたときのＴＳデマルチプレックス処理時間Ｔdmを短くすることができ、受信チャンネル切り換え時に発生する、チャンネル切り換え要求から所定画像表示されるまでのチャンネル切り換え時間Ｔallを短くすることができる。
【００２２】
実施の形態２．
以下に説明する実施の形態２では、上記実施の形態１において、フロントエンド部の処理時間Ｔft中に任意の画像等を切り換え表示して、チャンネル切り換え時の表示方法を任意に設定できるようにする。
【００２３】
図２は本発明の実施の形態２の地上波デジタル放送受信装置の構成図であり、図１のものと同様の動作をするものには同じ符号を付してある。この実施の形態２の地上波デジタル放送受信装置は、上記実施の形態１の地上波デジタル放送受信装置（図１参照）において、画像データ蓄積部２０と、ＭＰＥＧデコーダ９からの映像データと画像データ蓄積部２０からの画像データとを切り換える切り換えスイッチ２１とを設けたものである。
【００２４】
次に動作について説明する。通常、アナログ放送では、ユーザーが受信チャンネルを変更した場合、表示画面は、画像が乱れるまたは単一色になるが、その時間は一瞬（０．５秒以下）でユーザーがあまり意識しない時間がチャンネル切り換え時間となっている。これに対して、地上波デジタル放送では、アナログ放送と比較してチャンネル切り換え時間Ｔallの遅れ時間が発生し、その時間は最大で１秒を越え、ユーザーが意識できるチャンネル切り換え時間となってしまっている。上記実施の形態１では、フロントエンド部の処理時間Ｔft中は、ＴＳデータを出力できないので、ＭＰＥＧデコーダ９からの映像データは表示されない、またはチャンネル切り換え前の画像がフリーズした状態になり、ユーザーがチャンネル切り換え時の画面表示に違和感を持ってしまう可能性が考えられる。
【００２５】
そこで、この実施の形態２では、放送側から伝送されるデータの中に含まれる映像と音声データ以外のデータに、受信チャンネルと放送時間に固有の静止画データ等の画像データが送信側（放送局）から多重されていた場合、その固有画像データを第２のＴＳ―ＤＥＭＵＸ１８にて分離取得して、その受信チャンネルと関連付けられた固有画像データとして画像蓄積部２０に保存する。システムコントローラ１０は、受信できる全チャンネルの固有画像データを画像蓄積部２０に保存するように、第２のフロントエンド部５の受信チャンネルを任意にコントロールする。
【００２６】
また、受信チャンネルと放送時間に固有の静止画データ等が送信側（放送局）から多重されていない場合には、ユーザー等が作成したチャンネルと放送時間を関連させた画像データを、システムコントローラ１０によってその受信チャンネルと関連付けられた固有画像データとして画像蓄積部２０に保存する。
【００２７】
そして、ユーザーによって受信チャンネル切り換えが実行された場合、フロントエンド部の処理時間Ｔft中には、画像データ蓄積部２０に保存されている、切り換えられた受信チャンネルと関連付けられた固有画像データを出力するようにし、ＴＳデマルチプレックス処理時間Ｔdm中またはデコード時間Ｔdc中にＭＰＥＧデコーダ９からの復号データと切り換えるように、切り換えスイッチ２１をシステムコントローラ１０が任意でコントロールする。
【００２８】
さらに、切り換えスイッチ２１を２値選択のスイッチとしてではなく、グラフィックで一般的に用いられている透過率（αブレンディング値）を用いて、フロントエンド部の処理時間Ｔft内は、透過率１００％で画像データ蓄積部２０の固有画像データのみを切り換えスイッチ２１の選択出力とし、時間Ｔft後は、システムコントローラ１０によって透過率をダイナミックに変更し、フェードやワイプと言ったグラフィックス効果で、画像データ蓄積部２０からの固有画像データをＭＰＥＧデコーダ９の出力映像データに切り換えるようにコントロールすることもできる。例えば、透過率５０％では、画像データ蓄積部２０の画像データとＭＰＥＧデコーダ９の出力映像データとが同割合で重畳されたデータが切り換えスイッチ２１の選択出力となる。
【００２９】
以上のように実施の形態２によれば、フロントエンド部の処理時間Ｔft中に、画像データ蓄積部２０に保存された受信チャンネルと関連付けられた固有画像データを表示し、その後任意の時間で、ＭＰＥＧデコーダ９の出力映像データと切り換えるようにシステムコントローラ１０によってコントロールするので、従来何も表示されなかった、または切り換える前の受信チャンネルのフリーズした画像データを表示されていた時間は、切り換えた受信チャンネルと少なからず関連付けられた固有画像データをＴft時間だけ表示し、その後任意のタイミングと任意の切り換え方法で、受信チャンネルでＭＰＥＧデコーダ９の出力映像データと切り換え可能となり、ユーザーが従来持っていた受信チャンネル切り換え時の表示切り換え時間中の違和感を低減することができる。
【００３０】
実施の形態３．
上記実施の形態２では、フロントエンド部の処理時間Ｔft中は、保存していた画像データを表示し、その後、保存した画像データとＭＰＥＧデコーダ９からのデコードした映像データの切り換えを、システムコントローラ１０によって任意の時間、任意の切り換え方法によっておこなうことで、チャンネル切り換え時のユーザーの違和感を低減するようにしていたが、以下に説明する実施の形態３では、受信チャンネルを切り換えるごとに所定のチャンネル設定を各フロントエンドにおこない、ＭＰＥＧデコーダ９に入力するＴＳデータを選択できるスイッチをコントロールして、受信チャンネル切り換え時のフロントエンド部の処理時間Ｔftが０になるようにする。
【００３１】
図３は本発明の実施の形態３の地上波デジタル放送受信装置の構成図であり、図１のものと同様の動作をするものには同じ符号を付してある。この実施の形態３の地上波デジタル放送受信装置は、上記実施の形態１の地上波デジタル放送受信装置（図１参照）において、第１のフロントエンド部４からのＴＳデータまたは第２のフロントエンド部５からのＴＳデータを切り換える切り換えスイッチ１５を設けたものである。
【００３２】
次に動作について説明する。受信できるチャンネルを仮にＡ１，Ａ２，Ａ３，Ａ４，Ａ５とする。電源投入後は、第１のフロントエンド部４と第２のフロントエンド部５は同じ受信チャンネルＡ３を受信していた場合を考える。上記実施の形態１と同様、システムコントローラ１０は、番組受信チャンネルが切り換えられないときに時間が有る限り（ＭＰＥＧデコーダ９の入力データに選択されていない限り）、受信できる全チャンネルのＰＳＩ，ＳＩ等の付加情報を取得解析し、全チャンネルのＥＰＧを作成し、蓄積部１９に定期的に保存するように、第２のフロントエンド部５と切り換えスイッチ１６をコントロールしている。この実施の形態１では、切り換えスイッチ１５によって選択されたＴＳデータを出力するフロントエンド部の受信チャンネルが番組受信チャンネルとなる。
【００３３】
今、全てのチャンネルに必要な保存データが蓄積部１９に保存できたとき、第２のフロントエンド部５は、昇順のＡ４チャンネルに設定され、待機状態になる。ここで、ユーザーが受信チャンネルを昇順のＡ４に切り換えたとき、システムコントローラ１０は、ＭＰＥＧデコーダ９に入力するＴＳデータを切り換えスイッチ１５によって第２のフロントエンド５のＴＳデータＴＳ１に切り換え、このＴＳデータＴＳ１から映像（音声含む）データを分離するのに必要なＰＳＩやＳＩ等の付加情報およびＰＩＤ等の取得情報を蓄積部１９から取得して第１のＴＳ−ＤＥＭＵＸ７に設定し、次の昇順のチャンネル切り換えに備えて第１のフロントエンド部４を受信チャンネルＡ５に設定するように、コントロールを実行する。
【００３４】
また、このとき、ＭＰＥＧデコーダ９用に選択されているのは第２のフロントエンド部５からのＴＳデータＴＳ１であるが、第１のフロントエンド部４からのＴＳデータＴＳ０は、切り換えスイッチ１６によって、第２のＣＡデスクランブラ１７、第２のＴＳ−ＤＥＭＵＸ１８の入力データとして選択され、ＭＰＥＧデコーダ９の入力データに選択されていない限り、定期的にＰＳＩやＳＩ等の情報やＥＰＧを取得し、差分があれば蓄積データを更新する。取得作業がないときには、受信チャンネルＡ５で待機状態となる。
【００３５】
さらに、ユーザーが番組受信チャンネルを昇順のＡ５に切り換えたとき、システムコントローラ１０は、ＭＰＥＧデコーダ９に入力するＴＳデータを切り換えスイッチ１５によって第１のフロントエンド４のＴＳデータＴＳ０に切り換え、このＴＳデータＴＳ０から映像（音声含む）データを分離するのに必要なＰＳＩやＳＩ等の付加情報およびＰＩＤ等の取得情報を蓄積部１９から取得して第１のＴＳ−ＤＥＭＵＸ７に設定し、次の昇順のチャンネル切り換えに備えて第２のフロントエンド部５を受信チャンネルＡ１に設定するように、コントロールを実行する。
【００３６】
このようなコントロールを実行することで、受信チャンネル切り換え時のフロントエンド部の処理時間Ｔftは０となり、ＴＳデマルチプレックス処理時間Ｔdmは従来よりも短く、デコード時間Ｔdcは従来と同じなので、受信チャンネル切り換え時の必要切り換え時間Ｔallは、従来と比較してかなり短い切り換え時間となる。
【００３７】
ユーザーが受信チャンネルを降順に切り換えるときも、システムコントローラ１０によって、上記昇順の場合と同様なコントロールをする。まず、番組受信チャンネルがＡ３のときには、第１のフロントエンド部４の受信チャンネルが番組受信チャンネルであり、第１のフロントエンド部４の受信チャンネルはＡ３であり、第２のフロントエンド５の受信チャンネルは降順のＡ２に設定される。次に、ユーザーが番組受信チャンネルを降順のＡ２に切り換えると、第２のフロントエンド部５の受信チャンネルＡ２が番組受信チャンネルとして設定され、第１のフロントエンド４の受信チャンネルは降順のＡ１に設定される。さらに、ユーザーが番組受信チャンネルを降順のＡ１に切り換えると、第１のフロントエンド部４の受信チャンネルＡ１が番組受信チャンネルとして設定され、第２のフロントエンド５の受信チャンネルは降順のＡ５に設定される。
【００３８】
以上のように実施の形態３によれば、ユーザーが受信チャンネルを決められた順番（昇順または降順）に切り換えたとき、２個のフロントエンド部を、決められた順番のチャンネルに独立して設定し、その出力ＴＳデータを、システムコントローラ１０によってＭＰＥＧデコーダ９用入力データと、各種データ取得用入力データに任意に切り換えるようにしているので、決められた順番（昇順または降順）でユーザーが受信チャンネルを切り換えたときには、フロントエンド部の処理時間Ｔftが０となり、さらにチャンネル切り換え時間を短くすることができる。
【００３９】
なお、上記実施の形態３の地上波デジタル放送受信装置に、上記実施の形態２の画像データ蓄積部２０および切り換えスイッチ２１（図２参照）を設けることも可能である。
【００４０】
実施の形態４．
上記実施の形態３では、２個の同じ機能を持つＴＳ−ＤＥＭＵＸがそれぞれ独立した動作をおこない、多重化されたＴＳデータの分離および後段への分離後のデータの出力をしていたが、以下に説明する実施の形態４では、２個のＴＳ−ＤＥＭＵＸの機能をそれぞれ限定し、ハードウェア規模を少なくする。
【００４１】
図４は本発明の実施の形態４の地上波デジタル放送受信装置であり、図１または図３のものと同様の動作をするものには同じ符号を付してある。この実施の形態４の地上波デジタル放送受信装置は、上記実施の形態３の地上波デジタル放送受信装置（図３参照）において、第１のＴＳ−ＤＥＭＵＸ７，第２のＴＳ−ＤＥＭＵＸ１８をそれぞれ第１の簡易ＴＳ−ＤＥＭＵＸ３０，第２の簡易ＴＳ−ＤＥＭＵＸ３１としたものである。簡易ＴＳ−ＤＥＭＵＸ３１，３１は、ＴＳ−ＤＥＭＵＸ７，１８の機能の一部を限定したものである。
【００４２】
次に動作について説明する。地上波デジタル放送受信装置は、多重化されたＴＳデータから所定のデータを分離するＴＳデマルチプレックス機能を持ち、分離されたデータを後段のＭＰＥＧデコーダ９にてデコードすることで、映像（音声を含む）を出力する。上記ＴＳデマルチプレックス機能を具体的な機能として分割すると、下記の（１）〜（４）の４つになる。
（１）ＴＳデータに含まれたプログラム・クロック・リファレンス（以下、ＰＣＲとする）によって、ＭＰＥＧデコードに必要な２７ＭＨｚクロックを再生するクロックリカバリ機能。
（２）ＰＡＴ，ＰＭＴ（ＰＳＩ，ＳＩ）等の付加情報を分離解析する付加情報解析機能。
（３）解析したＰＳＩ等によって必要な映像、音声用ＴＳデータを分離するフィルタリング機能。
（４）分離した映像、音声用ＴＳデータを、後段のＭＰＥＧデコーダに入力するデータ形式のパケット・エレメンタリ・ストリーム（以下、ＰＥＳとする）やエレメンタリ・ストリーム（以下、ＥＳとする）に再構成するデータ再構成機能。
【００４３】
上記実施の形態３では、一般的な上記４つの機能を持ったＴＳ−ＤＥＭＵＸを２個搭載したシステムを提案し、その中の第２のＴＳ−ＤＥＭＵＸ１８の機能としては、上記の付加情報解析機能だけを使用し、第１のＴＳ−ＤＥＭＵＸ７の機能としては、クロックリカバリ機能と、フィルタリング機能と、データ再構成機能だけを使用していた。
【００４４】
このため、第１の簡易ＴＳ−ＤＥＭＵＸ３０は、機能を限定して、クロックリカバリ機能と、フィルタリング機能と、データ再構成機能だけを持ったＴＳ−ＤＥＭＵＸとし、第２の簡易ＴＳ−ＤＥＭＵＸ３１も、機能を限定して、付加情報解析機能だけを持ったＴＳ−ＤＥＭＵＸとすることで、２個のＴＳ−ＤＥＭＵＸで重複していた機能を削除し、それぞれ担当する機能を限定した。
【００４５】
以上のように実施の形態４によれば、２個のＴＳ−ＤＥＭＵＸの機能をそれぞれ限定し、重複した機能をなくすようにしたので、各ＴＳ−ＤＥＭＵＸのハードウェア規模を小さくすることができ、システム全体のハードウェアを削減することができる。
【００４６】
なお、上記実施の形態１または２において、第１のＴＳ−ＤＥＭＵＸ７を第１の簡易ＴＳ−ＤＥＭＵＸ３０とし、第２のＴＳ−ＤＥＭＵＸ１８を第２の簡易ＴＳ−ＤＥＭＵＸ３１とすることも可能である。
【００４７】
実施の形態５．
上記実施の形態４では、それぞれのフロントエンド部から出力されるＴＳデータを、フロントエンド部の専用バスによって後段の各デコーダに入力するようにしていたが、以下に説明する実施の形態５では、フロントエンド部から出力されるＴＳデータを、ＰＣＩバス等の汎用システムバスを用いた汎用バスシステムによって後段に入力する。
【００４８】
図５は本発明の実施の形態５の地上波デジタル放送受信装置の構成図であり、図１または図４のものと同様の動作をするものには同じ符号を付してある。この実施の形態５の地上波デジタル放送受信装置は、アンテナ１と、第１のフロントエンド部４と、ＥＰＧ等基本データデコーダ８と、ＭＰＥＧデコーダ９と、システムコントローラ１０と、加算部１１と、ローカルバス１２と、蓄積部１９と、第１の簡易ＴＳ−ＤＥＭＵＸ３０と、第２の簡易ＴＳ−ＤＥＭＵＸ３１と、従来の２倍以上の処理スピードを持つ高速ＣＡデスクランブラ４０と、デスクランブルされたＴＳデータの出力先を切り換える切り換えスイッチ４１と、ＰＣカードスロット４２と、外部から装着されて第２のフロントエンド部として機能する地上波デジタル受信用ＰＣカード４３と、ＰＣＩバス４４と、第１のフロントエンド部４のローカルバス（専用バス）とＰＣＩバス４４を接続するためのブリッジ回路であるＰＣＩブリッジ４５と、ＰＣカードスロット４２のバスとＰＣＩバス４４のブリッジ回路であるＰＣカードブリッジ４６と、高速ＣＡデスクランブラ４のローカルバスとＰＣＩバス４４のブリッジ回路であるＰＣＩブリッジ４７と、システムコントローラ１０のローカルバス１２とＰＣＩバス４４のブリッジ回路であるＰＣＩブリッジ４８とを備えている。
【００４９】
拡張用ＰＣカードである地上波デジタル受信用ＰＣカード４３のアンテナ入力は、カード自体に装着されている小型アンテナの出力、またはアンテナ１の出力をＰＣカードスロット４２のリザーブピンにハードウェア的に接続したアンテナ１の出力とする。また、汎用システムバスであるＰＣＩバス４４と、ＰＣＩブリッジ４５，４７，４８と、ＰＣカードブリッジ４６とは、ＰＣＩバス４４を用いた汎用バスシステムを構成している。
【００５０】
次に動作について説明する。上記実施の形態４では、２個のフロントエンド部から出力されるＴＳデータを、専用バスラインと２個の専用切り換えスイッチにて、後段のデコーダと接続し、各フロントエンドや各スイッチのコントロールは、システムコントローラ１０のローカルバス１２を使用していた。このため、地上波デジタル放送受信装置として、最初から２個のフロントエンドを意識した設計をする必要があり、配線数が増加して配線領域が大きくなっていた。
【００５１】
汎用システムバスの一つである広義としてのＰＣＩバスは、何種類かのスペックを持っており、代表的なスペックとして、最低スペックを用いて説明する。ＰＣＩバスは、最低スペックでも転送バスクロック３３ＭＨｚ、データバス幅３２ビットで、最大転送レート１３２Ｍｂｙｔｅ／ｓｅｃの性能を持ったバスである。このＰＣＩバスとローカルバス（専用バス）を接続するためには、必ずブリッジ回路が必要となるが、ブリッジ回路さえ追加すればどのようなローカルバス（専用バス）とも接続可能なシステムとなっている。
【００５２】
また、ブリッジ回路を介して接続された各ブロックについては、ＰＣＩバスのバスマスター（この実施の形態５では、ＰＣＩバス４４のバスマスターはシステムコントローラ１０となる）が、ＰＣＩバスのメモリマップ上に配置された各ブロックのメモリアドレスを適切にコントロールすることで、ＰＣＩバスに接続された各ブロック間のデータ転送をコントロールすることができる。ここで言うデータ転送とは、ＴＳデータとコントロールデータの両方のデータをソースからディスティネーションに転送することを指す。
【００５３】
地上波デジタル放送用のフロントエンドから出力されるＴＳデータは、１チャンネル当たり最大約８Ｍｂｙｔｅ／ｓｅｃとなるので、このＴＳデータをＰＣＩブリッジ４５を介してＰＣＩバスに接続した場合、最大で１６チャンネル（１３２/８＝１６．５）のＴＳデータをＰＣＩバスに流すことが可能となる。
【００５４】
フロントエンドと後段のブロックをＰＣＩバス等の汎用システムバスで接続するシステムでは、フロントエンドを２個以上接続して、受信チャンネルを増やすような拡張機能を持たせようとした場合でも、全てのフロントエンドには、同じ汎用システムバスが接続され、この汎用システムバスによって各フロントエンドのコントロールをすることができ、出力であるＴＳデータを選択して後段に出力することが可能となるので、従来のように、コントロールバスラインが個別に増加することもなくなり、機能拡張しても配線数が極端に増加することはなくなる。
【００５５】
さらに、上記実施の形態４の第２のフロントエンド５（図４参照）をＰＣＩブリッジによって固定的にＰＣＩバス４４に接続する方法も考えられるが、この実施の形態５では、ノートパソコン等に一般的に使用されているＰＣカードスロット４２を使用して、拡張性の高いシステムを考える。
【００５６】
ＰＣカードの規格には、ＰＣカード・スタンダード規格や、ＰＣＩバスと親和性がよい３２ビット・カード・バス規格がある。この３２ビット・カード・バス規格は、簡単に述べると、先に説明したＰＣＩバスの最低スペックの仕様に、活線挿抜の機能を追加した規格である。この３２ビット・カード・バス規格に則った地上波デジタル受信用ＰＣカード４３は、ユーザーが任意にＰＣカードスロット４２に装着可能となり、装着した場合でもシステム側は、特別なコントロールをする必要なく装着されたカードを認識し、その機能を使用することができる。装着したカードの認識等の取り決めは、ＰＣカード規格の中に規格化されており、ＰＣカード規格に則ったカードは、装着されるシステムに対して特別なコントロールを要求しない。
【００５７】
今、ユーザーが地上波デジタル受信用ＰＣカード４３をＰＣカードスロット４２に装着しなければ、上記非特許文献１のＡＲＩＢが提示する基本構成と同様なシステムが構成されることになる。また、地上波デジタル受信用ＰＣカード４３を装着すると、特別なコントロールをする必要もなく、フロントエンドを２個持ったチャンネル切り換え時間を短縮できるシステムに拡張できることになり、システムの自由度が向上することができる。
【００５８】
フロントエンドを２個使ったシステム構成を採用した場合を考えると、ＰＣＩバスの転送レート１３２Ｍｂｙｔｅ／ｓｅｃに対して、第１のフロントエンド部４からのＴＳデータＴＳ０と、第２のフロントエンド部としての地上波デジタル受信用ＰＣカード４３からのＴＳデータＴＳ１は、それぞれ約８Ｍｂｙｔｅ／ｓｅｃなので、バースト的な転送になる。例えば、全ての転送時間における１／１６ずつをそれぞれＴＳデータＴＳ０，ＴＳ１に使用すると、残りの１４/１６は、別のデータ転送をおこなう、または待機していることとなる。
【００５９】
バースト転送されたＴＳデータは、従来の２倍（フロントエンドを２個使用する場合）以上の処理スピードにてデスクランブルできる高速ＣＡデスクランブラ４０によって破綻なくデスクランブルされ、デスクランブルされた各ＴＳデータは、切り換えスイッチ４１によって該当するデコーダへ入力されるようにコントロールされ（例えば、ＴＳデータＴＳ０がＭＰＥＧデコーダ９への入力で、ＴＳデータＴＳ１がＥＰＧ等基本データデコーダ８への入力）、上記実施の形態４と同様に、ＴＳデマルチプレックス処理時間Ｔdmを短くするための付加情報の分離解析蓄積等の処理がなされる。
【００６０】
ＰＣＩバス４４に接続された各ブロックは、システムコントローラ１０のローカルバス１２が接続されたＰＣＩブリッジ４８を介してコントロールされ、それ以外のブロックは、上記実施の形態４と同様にシステムコントローラ１０のローカルバス１２によってコントロールされることになる。
【００６１】
以上のように実施の形態５によれば、フロントエンド部とその後段のブロックとをＰＣＩバス等の汎用システムバスで接続するようにしているので、フロントエンド部が２個以上に拡張された場合でも、配線数が極端に増加することはなく、ハードウェア作成上の自由度が向上する。さらに、ＰＣカードスロットを使用してフロントエンドの拡張をする構成であるために、チャンネル切り換え時間を短縮できるような機能拡張を、ユーザーが自由に選択できるようになり、システム構成と価格をユーザー自身が決定できる。
【００６２】
実施の形態６．
上記実施の形態５では、拡張用ＰＣカードである地上波デジタル受信用ＰＣカードのアンテナ入力は、カード自体に装着されている小型アンテナの出力、またはＰＣカードスロットのリザーブピンにハードウェア的に接続したアンテナ１の出力であったが、以下に説明する実施の形態６では、受信チャンネルを２チャンネル以上受信できる広帯域チューナーを内蔵したフロントエンドを使用する。
【００６３】
図６は本発明の実施の形態６の地上波デジタル放送受信装置の構成図であり、図１または図５のものと同様の動作をするものには同じ符号を付してある。この実施の形態６の地上波デジタル放送受信装置は、上記実施の形態５の地上波デジタル放送受信装置（図５参照）において、第１のフロントエンド部４を、２チャンネル以上受信できる広帯域チューナー５０およびこの広帯域チューナー５０から出力されるベースバンド信号を復調復号してＴＳデータを出力する復調復号部３から構成される広帯域受信用フロントエンド部５１としたものである。
【００６４】
次に動作について説明する。今、受信できる放送チャンネルをａ，ｂ，ｃ，ｄ，ｅとする。第１のフロントエンド部４に内蔵されていた通常のチューナ２（図１参照）は、ユーザーからｃチャンネルを受信するように設定されれば、ｃチャンネルを受信し、チューナー２自身が持っている中間周波数（ＩＦ周波数）をセンターにして約６ＭＨｚの帯域を持ったベースバンド信号を後段の復調復号部３に出力する。
【００６５】
これに対し、この実施の形態６の広帯域チューナー５０では、同様にｃチャンネルを受信されるように設定された場合、広帯域チューナー５０自身が持っている２種類の中間周波数をそれぞれセンターにした帯域約６ＭＨｚのベースバンド信号が出力される。仮に、カバーしている帯域が設定チャンネルとその高い方の隣接チャンネルの２チャンネル分だとすると、ｃチャンネルと、ｄチャンネルのベースバンド信号が広帯域チューナー５０から出力される。ｃチャンネルの信号は、第１のフロントエンド部４と同様に復調復号部３にて復調復号され、ＴＳデータＴＳ０として出力され、ｄチャンネルの信号は、広帯域受信用フロントエンド５１内にあるＡＤコンバータにて約２０〜３０Ｍｂｙｔｅ／ｓｅｃのデジタルデータＢＤＡＴ０に変換され、後段に出力される。ＰＣＩバスの最大転送レートは１３２Ｍｂｙｔｅ／ｓｅｃなので、デジタルデータＢＤＡＴ０が、ＴＳデータＴＳ０とＴＳ１が流れるＰＣＩバス４４上に追加されても、バスアクセスが破綻することはない。
【００６６】
地上波デジタル受信用ＰＣカード４３が装着されているとき、システムコントローラ１０等によって、デジタルデータＢＤＡＴ０は、ＰＣＩバス４４を経由してバースト的にＰＣカードスロット４２に転送される。これによって、外部アンテナ１の出力をＰＣカードスロット４２のリザーブピンにハードウェア的に接続しなくとも、地上波デジタル受信用ＰＣカード４３は、自身の小型アンテナからの微弱なアンテナ受信信号ではなく、十分なゲインを持ったアンテナ１の出力で発生させたベースバンド信号のデジタルデータＢＤＡＴ０を用いて、カード内部で復調復号処理をした隣接チャンネルのＴＳデータＴＳ１を出力することができる。
【００６７】
以上のように実施の形態６によれば、外部アンテナが接続された広帯域受信用フロントエンド部に内蔵の広帯域チューナーで、設定された受信チャンネルとその隣接チャンネルのベースバンド信号を同時に発生させ、復調復号した設定チャンネルのＴＳデータＴＳ０と復調復号前の隣接チャンネルのベースバンド信号のデジタルデータＢＤＡＴ０とを広帯域受信用フロントエンド部から出力するので、ユーザーによって拡張された地上波デジタル受信用ＰＣカードの復調復号用入力信号として、十分な信号レベルを持った広帯域受信用フロントエンド部からのベースバンド信号のデジタルデータＢＤＡＴ０をＰＣＩバス経由で入力して使用することが可能となり、拡張カード内で復調復号したＴＳデータＴＳ１の信頼性が向上する。
【図面の簡単な説明】
【００６８】
【図１】本発明の実施の形態１の地上波デジタル放送受信装置のブロック構成図である。
【図２】本発明の実施の形態２の地上波デジタル放送受信装置のブロック構成図である。
【図３】本発明の実施の形態３の地上波デジタル放送受信装置のブロック構成図である。
【図４】本発明の実施の形態４の地上波デジタル放送受信装置のブロック構成図である。
【図５】本発明の実施の形態５の地上波デジタル放送受信装置のブロック構成図である。
【図６】本発明の実施の形態６の地上波デジタル放送受信装置のブロック構成図である。
【符号の説明】
【００６９】
１  アンテナ、  ２  チューナ、  ３  復調復号部、  ４  第１のフロントエンド部、  ５  第２のフロントエンド部、  ６  第１のＣＡデスクランブラ、  ７  第１のＴＳ−ＤＥＭＵＸ、  ８  ＥＰＧ等基本データデコーダ、  ９  ＭＰＥＧデコーダ、  １０  システムコントローラ、  １１  加算部、  １２  ローカルバス、  １５，１６  切り換えスイッチ、  １７  第２のＣＡデスクランブラ、  １８  第２のＴＳ−ＤＥＭＵＸ、  １９  蓄積部、  ２０  画像データ蓄積部、  ２１  切り換えスイッチ、  ３０  簡易ＴＳ−ＤＥＭＵＸ、  ３１  簡易ＴＳ−ＤＥＭＵＸ、  ４０  高速ＣＡデスクランブラ、  ４１  切り換えスイッチ、  ４２  ＰＣカードスロット、  ４３  地上波デジタル受信用ＰＣカード、  ４５  ＰＣＩブリッジ、  ４６  ＰＣカードブリッジ、  ４７  ＰＣＩブリッジ、  ４８  ＰＣＩブリッジ、  ４９  ＰＣＩバス、  ５０  広帯域チューナー、  ５１  広帯域受信用フロントエンド。
【図１】
2005260401.tif 000003
【図２】
2005260401.tif 000004
【図３】
2005260401.tif 000005
【図４】
2005260401.tif 000006
【図５】
2005260401.tif 000007
【図６】
2005260401.tif 000008